(57)【要約】【課題】表示装置のペデスタルにはディスプレイの重量がかかるため、光ディスクドライブを保護するようなペデスタルの形状が求められる。また、光ディスクドライブを設置する場合に限られず、頑強なペデスタルが求められている。【解決手段】表示装置は、ディスプレイと、ディスプレイを支持するセット支持部４０１と、セット支持部４０１と連結し、ディスプレイの載置面と略平行な面を有する上面部４０５と、上面部４０５と連結し、前記上面部より下方に向いた側面部４０３と、側面部４０３と連結し、上面部４０５と平行で上面部４０５より下方に位置する面を有する脚部４０２を有する。【選択図】図４
2013044761.tif 000002
【特許請求の範囲】
【請求項１】
ディスプレイと、
前記ディスプレイを支持する支持部と、
前記支持部と連結し、前記ディスプレイの載置面と略平行な面を有する上面部と、
前記上面部と連結し、前記上面部より下方に向いた側面部と、
前記側面部と連結し、前記上面部と平行で前記上面部より下方に位置する面を有する脚部と、
を有する表示装置。
【請求項２】
前記支持部および前記上面部と連結する補強部、
をさらに有する請求項１に記載の表示装置。
【請求項３】
前記補強部の一部は前記支持部または前記上面部または前記側面部にビスで締結されている、
請求項２に記載の表示装置。
【請求項４】
前記補強部の一部は前記支持部または前記上面部または前記側面部に、
前記側面部と平行な面を向いて形成された締結面にビスで締結されている、
請求項３に記載の表示装置。
【請求項５】
前記支持部、および前記上面部、および前記側面部、および前記補強部、および前記締結面は同一部材で形成されている、
請求項４に記載の表示装置。
【請求項６】
前記支持部、および前記上面部、および前記側面部、および前記補強部、および前記締結面は板状部材の曲げ加工で形成され、
前記補強部は前記支持部の両端を手前側に曲げることによって形成され、
前記上面部は前記支持部の下端を手前側に曲げることによって形成され、
前記側面部は前記上面部の両端を奥側に曲げることによって形成され、
前記脚部は前記側面部の端を手前側若しくは奥側に曲げることによって形成され、
前記締結面は、前記上面部の一部を切り起こしによって手前側に起こすことによって形成された、
請求項５に記載の表示装置。
【請求項７】
前記補強部は、前記上面部の端側に形成された、
請求項２に記載の表示装置。
【請求項８】
前記上面部の下部には、前記表示装置の駆動に関する部品が配置された、
請求項１に記載の表示装置。
【請求項９】
前記上面部の下部には、前記表示装置の駆動に関する部品が配置された、
請求項５ないし７に記載の表示装置。
【発明の詳細な説明】
【技術分野】
【０００１】
本発明は表示装置に関する。より詳しくは、ペデスタルの構成を工夫することにより設計の自由度を向上させることの可能な表示装置に関する。
【背景技術】
【０００２】
近年、テレビ等に代表される表示装置において、光ディスクドライブを搭載した製品の展開が進んでいる。
【０００３】
従来、光ディスクドライブを搭載する表示装置ではディスプレイと平行に光ディスクドライブを設置したものが知られている（例えば特許文献１参照）。
【先行技術文献】
【特許文献】
【０００４】
【特許文献１】登録実用新案第３１１７８３３号公報
【発明の概要】
【発明が解決しようとする課題】
【０００５】
上記従来の技術ではディスプレイと平行に光ディスクドライブが設置される。
【０００６】
しかし、近年、ディスプレイの厚みを減らすために、光ディスクドライブをペデスタル（台座）に置くことが発明者らにより提言されている。
【０００７】
ここで、ペデスタルにはディスプレイの重量がかかるため、光ディスクドライブを保護するようなペデスタルの形状が求められる。また、光ディスクドライブを設置する場合に限られず、頑強なペデスタルは表示装置の設計の自由度を向上させる。
【課題を解決するための手段】
【０００８】
前記従来の課題を解決する為に、本発明の表示装置は、ディスプレイと、前記ディスプレイを支持する支持部と、前記支持部と連結し、前記ディスプレイの載置面と略平行な面を有する上面部と、前記上面部と連結し、前記上面部より下方に向いた側面部と、前記側面部と連結し、前記上面部と平行で前記上面部より下方に位置する面を有する脚部と、を有する表示装置とした。
【発明の効果】
【０００９】
本発明の表示装置によれば、ディスプレイの荷重がスタンド金具において効率よく分散されるので、表示装置の設計においてディスプレイを大型のものに設計でき、または、ペデスタルを軽量に設計できるなどの利点がある。
【図面の簡単な説明】
【００１０】
【図１】実施の形態１にかかる表示装置の全体図
【図２】実施の形態１にかかる表示装置のペデスタルを説明する図
【図３】図２においてスタンドカバーを取り外した図
【図４】実施の形態１にかかるスタンド金具を詳細に説明する図
【図５】実施の形態１にかかるスタンド金具の展開図
【発明を実施するための形態】
【００１１】
以下本発明の一実施の形態について図面を参照しながら説明する。
（実施の形態１）
以下、図１を参照しながら、実施の形態１について説明する。
（機器の構成）
図１は実施の形態１にかかる表示装置の全体図である。図１（ａ）は前面斜視図である。図１（ｂ）は背面斜視図である。
【００１２】
表示装置１００は、ディスプレイ１０１を有する。表示装置１００はディスプレイ１０１に映像を表示させる装置である。表示装置１００は、ディスプレイ１０１の下部にペデスタル１０２を有する。
【００１３】
ディスプレイ１０１は、映像を表示するものである。本実施の形態の形態では液晶ディスプレイを用いた。ディスプレイ１０１は液晶ディスプレイに限られず、プラズマディスプレイなどを適宜用いることができる。
【００１４】
ペデスタル１０２は、表示装置１００を支えるものである。ペデスタル１０２は、その前面部に光ディスク挿入孔１０３を有する。
【００１５】
光ディスク挿入孔１０３は、映像コンテンツなどが記録された光ディスク（図示しない）が挿入される孔である。光ディスクに記録された映像コンテンツはディスプレイ１０１に表示される。
【００１６】
図２は実施の形態１にかかる表示装置のペデスタルを説明する図である。図２（ａ）は背面斜視図である。図２（ｂ）は前面斜視図である。
【００１７】
ペデスタル１０２は、スタンドカバー２０１とスタンド金具２０２を有する。
【００１８】
スタンドカバー２０１は、ペデスタル１０２の内部を保護するものである。スタンドカバー２０１は、セット外観の一部である。
【００１９】
スタンド金具２０２は、ディスプレイ１０１を支持する金具である。スタンド金具２０２は、ディスプレイ１０１を鉛直方向に固定している。詳細は後述する。
【００２０】
図３は、図２においてスタンドカバーを取り外した図である。図３（ａ）は背面斜視図である。図３（ｂ）は前面斜視図である。
【００２１】
光ディスクドライブ３０１は光ディスク挿入孔１０３に挿入された光ディスクを駆動し、記録されたコンテツを再生するものである。光ディスクドライブ３０１は略箱状の形体を有する。
【００２２】
スタンド金具２０２は、やぐら構造を有している。やぐら構造によってスタンド金具２０２の下部には空間が生じる。やぐら構造に関しては後ほど図４を用いて詳細に説明する。本実施の形態では、その空間に光ディスクドライブを配置している。
【００２３】
スタンドベース３０２はスタンド金具２０２と締結されている。スタンドベース３０２の裏面は表示装置１００の底面となる。スタンドベース３０２は、金属材料で形成されている。
【００２４】
図４は実施の形態１にかかるスタンド金具を詳細に説明する図である。図４（ａ）はスタンド金具の背面斜視図である。図４（ｂ）はスタンド金具の前面斜視図である。図４（ｃ）スタンド金具の背面図である。
【００２５】
スタンド金具２０２は、セット支持部４０１と脚部４０２と側面部４０３と補強部４０４部と上面部４０５を有する。
【００２６】
スタンド金具２０２は、金属で形成された平面板を加工して形成されたものである。この点については後ほど詳細に説明する。
【００２７】
セット支持部４０１は、鉛直方向に向く面である。セット支持部４０１の前面側はディスプレイ１０１の背面と締結される。セット支持部４０１は、本実施の形態では、セット支持部４０１に形成されたビス穴を介してディスプレイ１０１と締結される。この締結により、ディスプレイ１０１は鉛直方向に自立することができる。
【００２８】
脚部４０２は、側面部４０３と略垂直に連結されている。脚部４０２は、上面部４０５に対して平行である。脚部４０２は、上面部４０５より下方に位置している。脚部４０２は、スタンドベース３０２と締結されている。
【００２９】
側面部４０３は、上面部４０５と略垂直に連結されている。側面部４０３と上面部４０５とが成す角は滑らかなアールによって形成されている。側面部４０３は、上面部４０５及びセット支持部４０１に対して垂直な面を有している。側面部４０３は、上面部４０５より下方に向いている。なお、側面部４０３は強度の点からは上面部４０５と略垂直に連結されることが望ましいが、これに限られず斜めに連結されても良い。
【００３０】
補強部４０４は、セット支持部４０１と略垂直に連結されている。補強部４０４は、側面部４０３と平行な位置関係にある。補強部４０４は、締結面４０６とビス締結されている。なお、ここで締結面４０６は上面部４０５からの切り起こしに限られず側面部４０３にビス締結してもよい。要は、補強部４０４に垂直上方からかかる力を、スタンド金具２０２内の他の箇所にビスを用いて逃がせる構造であれば良い。その際はビス穴の向きは側面部４０３と平行なことが望ましい。なお、補強部４０４は強度の点から側面部４０３と平行に形成することが望ましいが、負荷をセット支持部４０１から他の部位に逃がすものであれば、この形状に限られず、側面部４０３とは必ずしも平行でない面で形成することも出来る。
【００３１】
上面部４０５は、平面板形状と平面から形成された切り起こしで形成されている。上面部４０５はセット支持部４０１と略垂直に連結されている。上面部４０５は、ディスプレイ１０１の載置面に対して平行な面を有する。
【００３２】
締結面４０６は、上面部４０５から切り起こしで形成されている。締結面４０６は、上面部４０５の端部に位置している。締結面４０６は、側面部４０３に平行な面を有する。
【００３３】
図５は、実施の形態１にかかるスタンド金具の展開図である。図５のように、セット支持部４０１、脚部４０２、上面部４０５、側面部４０３、補強部４０４、及び締結面４０６は同一部材で形成されている。以下図５を使用して、本実施の形態におけるスタンド金具２０２の形成方法を説明する。なお、図５において破線は山折り、一点鎖線は谷折りする箇所を示している。
【００３４】
まず、セット支持部４０１と補強部４０４の形成方法について説明する。図５における中央上部をセット支持部４０１とし、その両端を手前側に略垂直に曲げることによって補強部４０４が形成される。補強部４０４は略Ｌ字の平面形状となるように形成されている。
【００３５】
続いて、上面部４０５の形成方法について説明する。図５において、セット支持部４０１の下部を手前側に略垂直に曲げることによって上面部４０５が形成される。上面部４０５は後述する締結面４０６を含む。
【００３６】
続いて、側面部４０３の形成方法について説明する。図５において、上面部４０５の両端を奥側に略垂直に曲げることによって側面部４０３が形成される。
【００３７】
続いて、脚部４０２の形成方法について説明する。図５において、側面部４０３の端を手前側若しくは奥側に略垂直に曲げることによって脚部４０２が形成される。本実施の形態では手前側に略垂直に曲げることによって脚部４０２を形成した。
【００３８】
最後に、締結面４０６の形成方法について説明する。図５において、上面部４０５の一部を切り起こしによって手前側に起こすことによって締結面４０６が形成されている。締結面４０６にはビス穴４０７が形成されている。補強部４０４にはビス穴４０８が同じく形成されている。締結面４０６と補強部４０４とはビス穴４０７とビス穴４０８をビスで締結することによって、締結される。
【００３９】
なお、本実施の形態では折り曲げ加工をする部位はいずれも略垂直に折り曲げた。このようにすると強度面に優れ、また省スペースの観点からも望ましい。しかしながら、設計の変更に伴ってこの角度を変更することも可能である。
（機器の作用効果）
本実施の形態にかかる表示装置の作用効果を説明する。
【００４０】
第一に、本実施の形態にかかる表示装置１００は、ディスプレイ１０１を有する。加えて、ディスプレイ１０１を支持するセット支持部４０１を有する。加えて、セット支持部４０１と連結し、ディスプレイ１０１の載置面と略平行な面を有する上面部４０５を有する。加えて、上面部４０５と連結し、前記上面部より下方に向いた側面部４０３を有する。加えて、側面部４０３と連結し、上面部４０５と平行で上面部４０５より下方に位置する面を有する脚部４０２を有する。
【００４１】
これにより、ディスプレイ１０１の荷重がスタンド金具２０２において効率よく分散される。具体的にはディスプレイ１０１の加重はセット支持部４０１、上面部４０５、側面部４０３を介して脚部４０２に分散される。ディスプレイ１０１の荷重がスタンド金具２０２において効率よく分散されるので、表示装置１００の設計においてディスプレイ１０１を大型のものに設計でき、または、ペデスタル１０２を軽量に設計できるなどの利点がある。
【００４２】
第二に、本実施の形態にかかる表示装置１００は、セット支持部４０１および上面部４０５と連結する補強部４０４を有する。このようにすると、ディスプレイ１０１の重みが補強部４０４を介して上面部４０５に逃げるので、ディスプレイ１０１をより大型のものに設計できる。
【００４３】
第三に、本実施の形態にかかる表示装置１００は、補強部４０４の一部がセット支持部４０１または上面部４０５または側面部４０３にビスで締結されている。このようにすると、ディスプレイ１０１の重みによって、セット支持部４０１に生じる曲げ応力が、締結面４０６と補強部４０４を締結しているビスに逃げるので、ディスプレイ１０１をより大型のものに設計できる。
【００４４】
第四に、本実施の形態にかかる表示装置１００は、補強部４０４の一部がセット支持部４０１または上面部４０５または側面部４０３に、側面部４０３と平行な面を向いて形成された締結面にビスで締結されている。このようにすると、ディスプレイ１０１の重みによって、セット支持部４０１にかかる力が、３次元空間上で直交する３平面方向にバランスよく分散されるので、ディスプレイ１０１をより大型のものに設計できる。
【００４５】
第五に、本実施の形態にかかる表示装置１００は、セット支持部４０１、および上面部４０５、および側面部４０３、および補強部４０４、および締結面４０６が同一部材で形成されている。
【００４６】
また、第六に本実施の形態にかかる表示装置１００は、セット支持部４０１、および上面部４０５、および側面部４０３、および補強部４０４、および締結面４０６が板状部材の曲げ加工で形成されている。また、その場合において、補強部４０４はセット支持部４０１の両端を手前側に曲げることによって形成され、上面部４０５はセット支持部４０１の下端を手前側に曲げることによって形成されている。そしてまた、側面部４０３は上面部４０５の両端を奥側に曲げることによって形成され、脚部４０２は側面部４０３の端を手前側若しくは奥側に曲げることによって形成され、締結面４０６は、上面部４０５の一部を切り起こしによって手前側に起こすことによって形成されている。
【００４７】
第五、第六に挙げた特徴のようにすると、複雑な構造を一枚板で形成できるので、ペデスタル形成の際コストを安くでき、又はペデスタル自体の重量を軽く出来る。
【００４８】
第七に、本実施の形態にかかる表示装置１００は補強部４０４が上面部４０５の端側に形成されている。このようにすると、上面部４０５の端部に、ディスプレイ１０１の負荷を受ける補強部４０４が位置するので、ディスプレイの重みが上面部の中央に伝わり難く、ディスプレイ１０１をより大型のものに設計できる。
【００４９】
第八に、本実施の形態にかかる表示装置１００は上面部４０５の下部に、表示装置１００の駆動に関する部品が配置されている。このようにすると、従来ならばディスプレイ側に搭載されていた、光ディスクドライブや駆動回路基盤などをペデスタルに内蔵することができるので、ディスプレイ１０１の厚みを抑えることができる。
【００５０】
第九に、上記第五ないし第七の特徴と合せて、本実施の形態にかかる表示装置１００は上面部４０５の下部に、表示装置１００の駆動に関する部品が配置されている。このようにすると、従来ならばディスプレイ側に搭載されていた、光ディスクドライブや駆動回路基盤などをペデスタルに内蔵することができ、かつその部位が強度的に強く設計できるので、表示装置１００の信頼度が向上する。
【産業上の利用可能性】
【００５１】
本発明の表示装置は、一例として、光ディスクドライブを内蔵した表示装置として有用である。
【符号の説明】
【００５２】
１００  表示装置
１０１  ディスプレイ
１０２  ペデスタル
１０３  光ディスク挿入孔
２０１  スタンドカバー
２０２  スタンド金具
３０１  光ディスクドライブ
３０２  スタンドベース
４０１  セット支持部
４０２  脚部
４０３  側面部
４０４  補強部
４０５  上面部
４０６  締結面
４０７  ビス穴
４０８  ビス穴
【図１】
2013044761.tif 000003
【図２】
2013044761.tif 000004
【図３】
2013044761.tif 000005
【図４】
2013044761.tif 000006
【図５】
2013044761.tif 000007